(57)【要約】【課題】使用する場所や環境を選ばないヘッドマウントディスプレイ装置を提供する。【解決手段】ユーザの頭部に係止する装着部と、画像を表示する表示部と、装着部か表示部の何れかに設けられ、表示部が表示する画像を記憶する記憶部とを備える。【選択図】      図３
2004279767.tif 000002
【特許請求の範囲】
【請求項１】
ユーザの頭部に係止する装着部と、
画像を表示する表示部と、
前記装着部か前記表示部の何れかに設けられ、前記表示部が表示する画像を記憶する記憶部と
を備えたことを特徴とするヘッドマウントディスプレイ装置。
【請求項２】
ユーザの頭部に係止する装着部と、
画像を表示する表示部と、
音声を出力する音声出力部と、
前記装着部か前記表示部か前記音声出力部の何れかに設けられ、前記表示部が表示する画像と前記音声出力部が出力する音声とを記憶する記憶部と
を備えたことを特徴とするヘッドマウントディスプレイ装置。
【請求項３】
請求項１または請求項２に記載のヘッドマウントディスプレイ装置において、
前記記憶部は、前記ヘッドマントディスプレイ装置に内蔵される
ことを特徴とするヘッドマウントディスプレイ装置。
【請求項４】
請求項３に記載のヘッドマウントディスプレイ装置において、
前記ヘッドマウントディスプレイ装置は、前記記憶部を含む一部の部材と本体とで構成され、前記一部の部材は、前記本体から着脱可能であり、前記記憶部は、書き換え可能である
ことを特徴とするヘッドマウントディスプレイ装置。
【請求項５】
請求項１に記載のヘッドマウントディスプレイ装置において、
前記記憶部は、前記装着部か前記表示部の何れかに着脱可能な記憶媒体である
ことを特徴とするヘッドマウントディスプレイ装置。
【請求項６】
請求項２に記載のヘッドマウントディスプレイ装置において、
前記記憶部は、前記装着部か前記表示部か前記音声出力部の何れかに着脱可能な記憶媒体である
ことを特徴とするヘッドマウントディスプレイ装置。
【発明の詳細な説明】
【０００１】
【発明の属する技術分野】
本発明は、画像を表示する表示部を備えたヘッドマウントディスプレイ装置に関する。
【０００２】
【従来の技術】
従来より、ユーザの頭部に装着可能なヘッドマウントディスプレイ装置が知られている。ヘッドマウントディスプレイ装置には、表示する画像を再生装置から取得し、取得した画像を表示部に表示するものがある（例えば、特許文献１参照）。
【０００３】
【特許文献１】
特開平１０−１２３９７０号公報
【０００４】
【発明が解決しようとする課題】
しかし、前述したヘッドマウントディスプレイ装置では、再生装置とヘッドマウントディスプレイ装置とはケーブルを用いて接続されているため、ヘッドマウントディスプレイ装置の使用時に、ケーブルが邪魔になったり、使用する場所や環境が制限されたりすることがあった。
【０００５】
本発明は、上記問題に鑑みてなされたものであり、使用する場所や環境を選ばないヘッドマウントディスプレイ装置を提供することを目的とする。
【０００６】
【課題を解決するための手段】
請求項１に記載のヘッドマウントディスプレイ装置は、ユーザの頭部に係止する装着部と、画像を表示する表示部と、前記装着部か前記表示部の何れかに設けられ、前記表示部が表示する画像を記憶する記憶部とを備えたことを特徴とする。
【０００７】
請求項２に記載のヘッドマウントディスプレイ装置は、ユーザの頭部に係止する装着部と、画像を表示する表示部と、音声を出力する音声出力部と、前記装着部か前記表示部か前記音声出力部の何れかに設けられ、前記表示部が表示する画像と前記音声出力部が出力する音声とを記憶する記憶部とを備えたことを特徴とする。
【０００８】
請求項３に記載のヘッドマウントディスプレイ装置は、請求項１または請求項２に記載のヘッドマウントディスプレイ装置において、前記記憶部は、前記ヘッドマントディスプレイ装置に内蔵されることを特徴とする。
請求項４に記載のヘッドマウントディスプレイ装置は、請求項３に記載のヘッドマウントディスプレイ装置において、前記ヘッドマウントディスプレイ装置は、前記記憶部を含む一部の部材と本体とで構成され、前記一部の部材は、前記本体から着脱可能であり、前記記憶部は、書き換え可能であることを特徴とする。
【０００９】
請求項５に記載のヘッドマウントディスプレイ装置は、請求項１に記載のヘッドマウントディスプレイ装置において、前記記憶部は、前記装着部か前記表示部の何れかに着脱可能な記憶媒体であることを特徴とする。
請求項６に記載のヘッドマウントディスプレイ装置は、請求項２に記載のヘッドマウントディスプレイ装置において、前記記憶部は、前記装着部か前記表示部か前記音声出力部の何れかに着脱可能な記憶媒体であることを特徴とする。
【００１０】
【発明の実施の形態】
以下、図面を用いて本発明の実施形態について説明する。
図１は、本実施形態のヘッドマウントディスプレイ装置１の外観を示す図である。ヘッドマウントディスプレイ装置１は、図１に示すように、湾曲したバンド２、バンド２の両端に固定された右音声出力部３および左音声出力部４を備える。右音声出力部３および左音声出力部４は、バンド２の湾曲しようとする付勢力によってユーザの両耳に当接する。すなわち、バンド２、右音声出力部３、左音声出力部４は、ヘッドマウントディスプレイ装置１をユーザの頭部に係止するためのものである。また、ヘッドマウントディスプレイ装置１は、バンド２の両端から伸縮自在な右アーム５および左アーム６を備え、右アーム５の端には右表示部７、左アーム６の端には左表示部８を備える。右アーム５および左アーム６は、ユーザ操作または自動で伸縮自在であり、伸縮することにより右表示部７および左表示部８の位置を調整可能である。また、右表示部７および左表示部８は、それぞれ、不図示の表示デバイスおよび接眼レンズを備え、ユーザの視野に画像を表示する。
【００１１】
さらに、ヘッドマウントディスプレイ装置１は、左音声出力部４とそれ以外の本体との間で着脱可能である。すなわち、左音声出力部４は、図２Ａのように本体と一体化した状態から、図２Ｂに示すように本体から取り外し可能である。左音声出力部４は、図２Ｂに示すように、本体への着脱部に接続端子４１を備える。接続端子４１は、左音声出力部４が本体と一体化している状態（図２Ａの状態）において、バンド２内に填め込まれている。そのため、ヘッドマウントディスプレイ装置１の使用時（図２Ａの状態）には、接続端子４１がヘッドマウントディスプレイ装置１の外部に露出しない構成になっている。
【００１２】
また、ヘッドマウントディスプレイ装置１は、図３の機能ブロック図に示すように、左スピーカ４２、制御部９を備えるとともに、外部の再生装置などとのインタフェースを取る外部インタフェース部１０を備える。さらに、ヘッドマウントディスプレイ装置１は、右表示部７、左表示部８が表示する画像と右音声出力部３、左音声出力部４が出力する音声とを記憶する記憶部１１、ユーザ操作を受け付ける操作部１２を備える。なお、右音声出力部３も、左音声出力部４と同様に、不図示の右スピーカを備える。
【００１３】
右音声出力部３、右表示部７、左表示部８、操作部１２は、それぞれ、接続部１３、接続部１４、接続部１５、接続部１６を介して、制御部９と接続される。接続部１３、接続部１４、接続部１５、接続部１６は、制御部９とそれぞれ相互に接続され、接続部１３の出力は右音声出力部３に供給され、接続部１４の出力は右表示部７に供給され、接続部１５の出力は左表示部８に供給される。また、操作部１２の出力は、接続部１６に供給される。
【００１４】
また、制御部９の出力は、左スピーカ４２にも供給され、外部インタフェース部１０および記憶部１１は制御部９と相互に接続される。
なお、バンド２、右音声出力部３、左音声出力部４は、請求項の「装着部」に対応し、右アーム５、左アーム６、右表示部７、左表示部８、制御部９、接続部１４、接続部１５は請求項の「表示部」に対応する。また、右音声出力部３、左音声出力部４、制御部９、接続部１３は請求項の「音声出力部」に対応し、記憶部１１、制御部９は、請求項の「記憶部」に対応する。
【００１５】
以上説明したような構成のヘッドマウントディスプレイ装置１において、本発明の特徴である左音声出力部４について詳しく説明する。
左音声出力部４は、図２で示したように、本体から着脱可能である。図３の機能ブロック図において、左音声出力部４は、点線で囲まれた部分である。
図３に示すように、制御部９、記憶部１１は、図２Ａの左音声出力部４の内部に設けられる（ヘッドマウントディスプレイ装置１に内蔵される）。記憶部１１は、書き換え可能な半導体メモリである（詳細後述する）。また、外部インタフェース部１０は、図２Ｂの接続端子４１の内部に設けられ、接続端子４１は、ＵＳＢ（Ｕｎｉｖｅｒｓａｌ  Ｓｅｒｉａｌ  Ｂｕｓ）インタフェースである。
【００１６】
図２Ａに示すように、左音声出力部４が本体と一体化している場合、制御部９は、記憶部１１から画像データを読み出し、接続部１４を介して右表示部７に出力すると共に、接続部１５を介して左表示部８に出力する。また、制御部９は、記憶部１１から音声データを読み出し、左スピーカ４２に出力すると共に、接続部１３を介して右音声出力部３に出力する。また、制御部９は、接続部１６を介して、操作部１２に対するユーザの入力を検知する。
【００１７】
記憶部１１を含む一部の部材である左音声出力部４は、図２Ｂに示すように、本体から着脱可能であり、取り外された左音声出力部４は、外部のコンピュータ（不図示）と接続可能である。接続端子４１は、ＵＳＢインタフェースであるため、コンピュータのＵＳＢ端子に直接接続可能である。ユーザは、コンピュータと左音声出力部４とを接続して、記憶部１１に記憶されている画像および音声を書き換えることができる。なお、書き換えにおける指示は、ユーザにより、コンピュータの操作部を介して行われる。また、記憶部１１に新たに記憶される画像および音声は、コンピュータに予め記録されたものでも良いし、インターネットを介してダウンロードされたものでも良い。
【００１８】
ユーザは、記憶部１１に対する書き換えが終了すると、左音声出力部４をコンピュータから取り外し、ヘッドマウントディスプレイ装置１の本体に再び接続する。そして、操作部１２を介して操作を行うことにより、書き換えられた画像の表示および音声の再生を行うことができる。
以上説明したように、本実施形態によれば、右表示部７および左表示部８が表示する画像と右音声出力部３および左音声出力部４が出力する音声とが記憶された記憶部１１が、左音声出力部４に設けられる。そのため、画像の表示および音声の再生を行う際に、ケーブルを介して外部の再生装置とヘッドマウントディスプレイ装置１とを接続して画像や音声を取得する必要がない。したがって、ヘッドマウントディスプレイ装置１の使用時に、ケーブルが邪魔になることもなく、使用する場所や環境を選ばない。
【００１９】
また、本実施形態によれば、右表示部７および左表示部８が表示する画像と右音声出力部３および左音声出力部４が出力する音声とが記憶された記憶部１１は、ヘッドマウントディスプレイ装置１に内蔵される。そのため、メモリカードやメモリカード用の読み取り装置を備える必要がなく、装置を小型化することができる。
【００２０】
また、本実施形態によれば、前述した記憶部１１を含む一部の部材が、ヘッドマウントディスプレイ装置１から着脱可能であり、その記憶部１１に記憶されている画像および音声は書き換え可能である。そのため、記憶部１１を含む一部の部材を本体から取り外し、外部の装置と接続することにより、画像および音声を書き換えることができる。そのため、ユーザは所望の画像および音声を容易に取得することができる。
【００２１】
特に、本実施形態によれば、前述した記憶部１１は、左音声出力部４に設けられる。そのため、左音声出力部４の内部に存在するスペースを有効に活用することができ、ヘッドマウントディスプレイ装置１の小型化を確実に実現することができる。また、記憶部１１が左音声出力部４の内部に設けられるため、デザイン性が向上する。
【００２２】
なお、本実施形態では、左音声出力部４に記憶部１１が設けられる例を示したが、右音声出力部３に設けられるようにしても良い。さらに、左右何れかの表示部に記憶部１１を設け、図４に示すように、表示部（図４では左表示部８）を本体から着脱可能にしても良い。この場合、左表示部８の本体への着脱部に接続端子８１を設け、外部のコンピュータに接続可能にすればよい。
【００２３】
このように左右何れかの表示部に記憶部１１を設ける場合、制御部９と記憶部１１と表示デバイスとを一つの基板に集約することができるので、構成を簡略化することができる。また、右音声出力部３、左音声出力部４および右表示部７、左表示部８以外の部分（例えばバンド２の部分）に記憶部１１を設け、その記憶部１１を含む一部の部材を着脱可能にし、さらに記憶部１１を書き換え可能にしても良い。
【００２４】
また、本実施形態では、記憶部１１に画像と音声との両方を記憶する例を示したが、画像だけでも良い。このような場合にも、画像の表示を行う際に、ケーブルを介して外部の再生装置とヘッドマウントディスプレイ装置１とを接続する必要がない。そのためヘッドマウントディスプレイ装置１の使用時に、ケーブルが邪魔になることもなく、使用する場所や環境を選ばない。
【００２５】
また、本発明を、音声の出力を行わずに画像の表示のみを行うヘッドマウントディスプレイ装置に適用しても良い。このような場合、記憶部１１は、どこに設けられても良いが、表示部に設けるのが好ましい。
また、本実施形態では、記憶部１１は半導体メモリである例を示したが、磁気ディスクなどの記憶部材であっても良い。また、記憶部１１は、内蔵メモリである例を示したが、着脱可能なメモリカード（カード状のリムーバブルメモリ）などの記憶媒体でも良い。このような場合、本体にはメモリカードを着脱可能なメモリカード用読み取り装置を設ければよい。なお、メモリカード用読み取り装置は、右表示部７、左表示部８に設けるようにしても良いし、右音声出力部３、左音声出力部４に設けるようにしても良いし、バンド２などその他の部分に設けるようにしても良い。
【００２６】
また、本実施形態では、図１に示すような形態のヘッドマウントディスプレイ装置１を用いて説明を行ったが、ユーザの頭部に係止可能であれば、ヘルメット型やメガネ型であっても良い。例えば、メガネ型の場合、ツルの部分に記憶部１１を設け、その部分を本体から着脱可能にし、さらに書き換え可能にしても良い。
【００２７】
また、本実施形態では、図１に示すように、左右両眼に対して右表示部７および左表示部８をそれぞれ備える例を示したが、片側だけに表示部を備えるようにしても良い。
また、本実施形態では、記憶部１１を含む一部の部材である左音声出力部４を本体から着脱可能にし、さらに書き換え可能にする例を示したが、一体型で書き換え可能であっても良い。この場合、ヘッドマウントディスプレイ装置１を外部のコンピュータと有線または無線で接続し、記憶部１１を書き換えるようにしても良い。
【００２８】
【発明の効果】
以上説明したように、本発明によれば、使用する場所や環境を選ばないヘッドマウントディスプレイ装置を提供することができる。
【図面の簡単な説明】
【図１】本実施形態のヘッドマウントディスプレイ装置の外観を示す図である。
【図２】本実施形態のヘッドマウントディスプレイ装置の外観を示す図である。
【図３】本実施形態のヘッドマウントディスプレイ装置の機能ブロック図である。
【図４】別の実施形態のヘッドマウントディスプレイ装置の外観を示す図である。
【符号の説明】
１  ヘッドマウントディスプレイ装置
２  バンド
３  右音声出力部
４  左音声出力部
５  右アーム
６  左アーム
７  右表示部
８  左表示部
９  制御部
１０  外部インタフェース部
１１  記憶部
１２  操作部
１３，１４，１５，１６  接続部
４１，８１  接続端子
４２  左スピーカ
【図１】
2004279767.tif 000003
【図２】
2004279767.tif 000004
【図３】
2004279767.tif 000005
【図４】
2004279767.tif 000006